(57)【要約】【課題】手摺ベルトと共に異物がインレットに向けて引き込まれるという事故が発生していないにも係わらず乗客コンベアを非常停止させるという誤動作の発生を防止し、さらに、インレット外殻体と手摺ベルトとの間に挟まれる異物とインレット外殻体との間に過大な力が作用することを防止する。【解決手段】乗客コンベアの手摺ベルト安全装置において、循環移動可能な手摺ベルト５の外周に遊嵌されて停止位置と非停止位置との間で移動可能な当接体７と、当接体７の外周に遊嵌されて構造体１に形成されたインレット６に挿入されて移動可能に支持されるインレット外殻体８と、インレット外殻体８の移動を制限する係止位置とインレット外殻体８の移動を許容する係止解除位置とに移動可能な係止部１１と、当接体７が停止位置に移動した場合に係止位置に位置する係止部１１を係止解除位置に移動させる係止解除手段１４とを備える。【選択図】図２
2007204194.tif 000002
【特許請求の範囲】
【請求項１】
循環移動可能な手摺ベルトの外周に遊嵌され、前記手摺ベルトの循環移動を停止させる停止スイッチを作動させる停止位置と前記停止スイッチを作動させない非停止位置との間で前記手摺ベルトの移動方向に沿って移動可能な当接体と、
前記当接体の外周に遊嵌され、構造体に形成されたインレットに挿入されて前記手摺ベルトの移動方向に沿って移動可能に支持されるインレット外殻体と、
前記構造体と前記インレット外殻体とを係止して前記インレット外殻体の移動を制限する係止位置と、前記構造体と前記インレット外殻体との係止を解除して前記インレット外殻体の移動を許容する係止解除位置とに移動可能な係止部と、
前記当接体が前記停止位置に移動した場合に前記係止位置に位置する前記係止部を前記係止解除位置に移動させる係止解除手段と、
を備えることを特徴とする乗客コンベアの手摺ベルト安全装置。
【請求項２】
前記係止部は、前記インレット外殻体に設けられ、前記構造体に係止される前記係止位置と前記構造体への係止を解除される前記係止解除位置とに移動可能であることを特徴とする請求項１記載の乗客コンベアの手摺ベルト安全装置。
【請求項３】
前記係止解除手段は、前記当接体が前記非停止位置から前記停止位置に移動することにより前記係止部を前記係止位置から前記係止解除位置へ移動させる機構であることを特徴とする請求項２記載の乗客コンベアの手摺ベルト安全装置。
【請求項４】
前記係止部に、この係止部が前記係止解除位置に移動した場合に前記係止位置に位置する場合より小さな係止力で前記構造体に係止される第２係止部が設けられていることを特徴とする請求項２又は３記載の乗客コンベアの手摺ベルト安全装置。
【請求項５】
前記停止スイッチが作動する場合に出力される電気信号に基づいて駆動されるアクチュエータが前記係止解除手段として設けられ、前記アクチュエータに前記係止部が設けられていることを特徴とする請求項１記載の乗客コンベアの手摺ベルト安全装置。
【請求項６】
前記アクチュエータは、前記停止スイッチが作動されない場合に通電されて前記係止部を前記係止位置に保持する保持力を付与し、前記停止スイッチが作動される場合に通電を遮断されて前記保持力を消滅させる保持機構部と、前記係止部を前記係止解除位置に移動させる向きに付勢するバネとを有することを特徴とする請求項５記載の乗客コンベアの手摺ベルト安全装置。
【請求項７】
前記係止部が前記係止位置に位置する場合に、前記係止部による係止力より小さな係止力により前記構造体と前記インレット外殻体とを係止する第２係止部を有することを特徴とする請求項５又は６記載の乗客コンベアの手摺ベルト安全装置。
【請求項８】
前記当接体を非停止位置に向けて付勢し、及び、前記係止部が前記係止位置に移動可能となる位置に向けて前記インレット外殻体を付勢する付勢体を有することを特徴とする請求項１ないし７のいずれか一記載の乗客コンベアの手摺ベルト安全装置。
【発明の詳細な説明】
【技術分野】
【０００１】
本発明は、乗客コンベアの手摺ベルト安全装置に関し、特に、循環移動する手摺ベルトと共に異物が手摺ベルトのインレットに向けて引き込まれる事故が発生した場合における安全性を高めることができる乗客コンベアの手摺ベルト安全装置に関する。
【背景技術】
【０００２】
エスカレータや動く歩道等の乗客コンベアは、踏段や踏板等と同期して循環移動する手摺ベルトを備え、この手摺ベルトは、乗客コンベアの一端側においてトラス等の構造体に形成されたインレットから構造体内に入り込む。
【０００３】
このような乗客コンベアにおいては、下記特許文献１に記載されているように、循環移動する手摺ベルトと共に異物（例えば、乗客コンベア利用者の荷物や、乗客コンベア利用者の指先等）が手摺ベルトのインレットに向けて引き込まれた場合に、乗客コンベアの運転を非常停止させる手摺ベルト安全装置が設けられている。なお、乗客コンベア利用者の指先が手摺ベルトと共にインレットに向けて引き込まれる場合としては、乗客コンベア利用者である子供が手摺ベルトで遊んでいた場合などが挙げられる。
【０００４】
この特許文献１に記載された手摺ベルト安全装置によれば、手摺ベルトを囲む筒体形状のインレット外殻体がインレットに装着され、このインレット外殻体は手摺ベルトの循環移動方向に沿って移動可能とされている。インレット外殻体が手摺ベルトの移動方向に沿って移動する方向の前方位置には、乗客コンベアの運転を非常停止させる停止スイッチが配置されている。
【０００５】
この乗客コンベアにおいて、手摺ベルトと共にインレットに向けて異物が引き込まれた場合には、インレット外殻体が手摺ベルトと共に手摺ベルトの移動方向に沿って移動し、移動したインレット外殻体により停止スイッチが押される。停止スイッチが押されることにより、乗客コンベアの運転が停止される。
【０００６】
また、このインレット外殻体には、周方向に分離可能な分離部が形成されている。このため、手摺ベルトとインレット外殻体との間に異物が入り込んだ場合、インレット外殻体が分離部で分離されて拡径方向に広がり、入り込んだ異物の取り出しを容易に行える。
【特許文献１】特開２００４−２２４５５３号公報
【発明の開示】
【発明が解決しようとする課題】
【０００７】
しかしながら、前述の乗客コンベアの手摺ベルト安全装置においては、以下の点について配慮がなされていない。
【０００８】
インレット外殻体は手摺ベルトの循環移動方向に沿って移動可能であるため、手摺ベルトと共に異物がインレットに向けて引き込まれる場合に限らず、インレット外殻体に荷物などが衝突した場合にもインレット外殻体は停止スイッチを押す位置まで移動する場合がある。即ち、手摺ベルトと共に異物がインレットに向けて引き込まれない場合であっても、停止スイッチがインレット外殻体に押されて乗客コンベアが非常停止するという誤動作が発生する。
【０００９】
また、インレット外殻体の分離部における分離方向と異物の入り込み方向とが略直角であるため、異物の入り込む位置によっては分離部における分離が生じない場合がある。このため、異物がインレット外殻体と手摺ベルトとの間に強く食い込んだ状態となり、異物とインレット外殻体との間に過大な力が作用する場合がある。
【００１０】
本発明のこのような課題を解決するためになされたもので、その目的は、手摺ベルトと共に異物がインレットに向けて引き込まれるという事故が発生していないにも係わらずインレット外殻体が移動して乗客コンベアを非常停止させるという誤動作の発生を防止することができ、さらに、インレット外殻体と手摺ベルトとの間に挟まれる異物とインレット外殻体との間に過大な力が作用することを防止することができる乗客コンベアの手摺ベルト安全装置を提供することである。
【課題を解決するための手段】
【００１１】
本発明の実施の形態に係る第１の特徴は、乗客コンベアの手摺安全装置において、循環移動可能な手摺ベルトの外周に遊嵌され、前記手摺ベルトの循環移動を停止させる停止スイッチを作動させる停止位置と前記停止スイッチを作動させない非停止位置との間で前記手摺ベルトの移動方向に沿って移動可能な当接体と、前記当接体の外周に遊嵌され、構造体に形成されたインレットに挿入されて前記手摺ベルトの移動方向に沿って移動可能に支持されるインレット外殻体と、前記構造体と前記インレット外殻体とを係止して前記インレット外殻体の移動を制限する係止位置と、前記構造体と前記インレット外殻体との係止を解除して前記インレット外殻体の移動を許容する係止解除位置とに移動可能な係止部と、前記当接体が前記停止位置に移動した場合に前記係止位置に位置する前記係止部を前記係止解除位置に移動させる係止解除手段と、を備えることである。
【発明の効果】
【００１２】
本発明によれば、手摺ベルトと共に異物がインレットに向けて引き込まれるという事故が発生していないにも係わらずインレット外殻体が移動して乗客コンベアを非常停止させるという誤動作の発生を防止することができ、さらに、インレット外殻体と手摺ベルトとの間に挟まれる異物とインレット外殻体との間に過大な力が作用することを防止することができる。
【発明を実施するための最良の形態】
【００１３】
以下、本発明の実施の形態を図面を用いて説明する。
【００１４】
（第１の実施の形態）
本発明の第１の実施の形態に係る乗客コンベアであるエスカレータは、図１に示すように、建物の上階と下階との間に亘って据え付けられたトラス等の構造体１と、無端状に連結されて構造体１内を循環移動する複数の踏段２と、踏段２の両側に位置して構造体１上に立設される一対の欄干３と、欄干３の周縁部に設けられるガイドレール４と、ガイドレール４に巻き掛けられて循環移動する手摺ベルト５とを供えている。踏段２と手摺ベルト５とは、電動機等の駆動部（図示せず）により同期して同じ方向に駆動される。
【００１５】
図２に示すように、構造体１における上階側と下階側との端部であって欄干３の下側となる位置には、循環移動する手摺ベルト５の入口側又は出口側となるインレット６が形成されている。なお、手摺ベルト５と踏段２との循環移動方向は正逆切替可能であり、この正逆切替を行うことにより、インレット６は入口側となり又は出口側となる。
【００１６】
インレット６には、当接体７とインレット外殻体８とが挿入されている。構造体１内におけるインレット６の近傍位置には、異物（例えば、エスカレータ利用者の荷物や、エスカレータ利用者の指先等）が手摺ベルト５と共にインレット６に向けて引き込まれたことを検知し、検知した場合には検知信号を出力する停止スイッチ９が設けられている。停止スイッチ９は制御装置１０に接続され、停止スイッチ９からの検知信号が制御装置１０に入力される。停止スイッチ９からの検知信号が制御装置１０に入力されると、制御装置１０は手摺ベルト５と踏段２とを駆動する駆動部に対して停止信号を出力する。
【００１７】
当接体７は、筒状部材であり、手摺ベルト５の外周面との間に隙間をもって手摺ベルト５の外周に遊嵌されている。当接体７は、手摺ベルト５の循環移動方向に沿って移動可能に設けられ、停止スイッチ９を作動させる停止位置（図４参照）と、停止スイッチ９を作動させない非停止位置（図２参照）との間で移動可能とされている。
【００１８】
当接体７は、樹脂により形成された筒部７ａと、筒部７ａの一端側であってインレット６の外方を向く側に固定された弾性筒部７ｂと、一端が筒部７ａの他端側に固定されて他端が構造体１の内部に向けて延出するバネ板鋼からなる筒状のストッパ７ｃと、テーパ付凸部７ｄとを有している。弾性筒部７ｂは、筒部７ａより柔らかなゴムなどの材料により形成され、弾性を有する
テーパ付凸部７ｄは、筒部７ａに筒部７ａの周方向に沿って複数個形成されており、図５に拡大して示すように、一端が筒部７ａに繋がれて他端が構造体１内に向けて延出した片持ち梁形状に形成されている。テーパ付凸部７ｄには、筒状部材である当接体７の内周側に位置するテーパ部７ｅが形成されている。
【００１９】
ストッパ７ｃの他端側の先端部には、屈曲部７ｆが形成されている。屈曲部７ｆは、当接体７が非停止位置方向の最大位置に移動した場合、構造体１内に配置された保持片１ａに係止されている。屈曲部７ｆが保持片１ａに係止されることにより、当接体７が非停止位置から移動して構造体１の外部に抜け落ちることが防止されている。
【００２０】
インレット外殻体８は、樹脂により形成された筒状部材であり、当接体７の外周に遊嵌されている。また、インレット外殻体８は、構造体１に形成されたインレット６に挿入され、手摺ベルト５の移動方向に沿って移動可能に構造体１に支持されている。インレット外殻体８には、複数の係止部１１とストッパ１２とが形成されている。
【００２１】
係止部１１は、インレット外殻体８を構造体１に係止させて手摺ベルト５の移動方向に沿った方向へのインレット外殻体８の移動を制限する係止位置と、構造体１へのインレット外殻体８の構造体１への係止を解除して手摺ベルト５の移動方向に沿った方向へのインレット外殻体８の移動を許容する係止解除位置とに移動可能に設けられている。ストッパ１２は、構造体１の内側のインレット６の周縁部に当接し、インレット外殻体８がインレット６から構造体１の外方に抜け落ちることを防止している。
【００２２】
係止部１１は、インレット外殻体８にインレット外殻体８の周方向に沿って複数個形成されており、一端がインレット外殻体８に繋がれて他端がインレット６から構造体１の外方に向けて延出する片持ち梁形状の梁部１１ａと、梁部１１ａの延出方向先端部に形成されてインレット外殻体８の外径方向に突出する係止凸部１１ｂと、係止凸部１１ｂの外周側端部に形成された第２係止部１１ｃとを備えている。さらに、係止部１１には、当接体７のテーパ付凸部７ｄが係合される解除受け部１１ｄが形成されている。
【００２３】
構造体１におけるインレット６の周面には、係止凸部１１ｂ又は第２係止部１１ｃが係止されるリング形状の凹部１３が形成されている。係止凸部１１ｂが凹部１３に係合されることにより、インレット外殻体８が構造体１に係止されてインレット外殻体８の移動が禁止される。
【００２４】
図５は第２係止部１１ｃが凹部１３から係合が解除された状態を示しており、この状態は、構造体１へのインレット外殻体８の係止が解除される係止解除位置に係止部１１が移動した状態である。この状態では、第２係止部１１ｃと凹部１３との係合が、係止部１１が係止位置に位置する場合（係止凸部１１ｂが凹部１３に係合されている場合）より小さな係止力により行われている。この状態からインレット外殻体８に手摺ベルト５の移動方向に沿った方向の外力が作用した場合には、第２係止部１１ｃと凹部１３との係合が容易に外れるとともに、インレット外殻体８が構造体１の内方に向けて移動する。
【００２５】
このエスカレータには、当接体７が停止位置に移動した場合に係止位置に位置する係止部１１を係止解除位置に移動させて構造体１へのインレット外殻体８の係止を解除する係止解除手段１４が設けられている。この係止解除手段１４は、テーパ付凸部７ｄと解除受け部１１ｄとにより構成されている。当接体７が非停止位置から停止位置に移動する場合に、テーパ付凸部７ｄのテーパ部７ｅと解除受け部１１ｄとの係合状態が変化し、この変化に伴って係止部１１の梁部１１ａがインレット外殻体８の内径方向に撓み、係止凸部１１ｂと凹部１３との係合が解除され、図５に示すように、係止部１１が係止解除位置に移動する。
【００２６】
構造体１内の保持片１ａには、付勢体１５が保持されている。この付勢体１５は、当接部１５ａと、ガイド軸１５ｂと、付勢バネ１５ｃとを備えている。当接部１５ａは、インレット外殻体８における構造体１内に位置する端面、及び、当接体７における構造体１内に位置する端面に対向する位置に配置されている。ガイド軸１５ｂは、保持片１ａにより手摺ベルト５の移動方向に沿った方向へ往復摺動可能に保持されている。ガイド軸１５ｂの一端に当接部１５ａが固定され、ガイド軸１５ｂの他端に保持片１ａから抜止めするための抜止用ネジ１５ｄが螺合されている。付勢バネ１５ｃは、ガイド軸１５ｂの外周に嵌合されて保持片１ａと当接部１５ａとの間に配置され、当接部１５ａを当接体７とインレット外殻体８とに当接する向きに付勢している。当接部１５ａが当接体７に当接されることにより、当接体７は非停止位置に向けて付勢されている。また、当接部１５ａがインレット外殻体８に当接されることにより、インレット外殻体８は、係止部１１が構造体１の凹部１３に係合される係止位置に移動可能となる位置に向けて付勢されている。
【００２７】
停止スイッチ９に対向する位置には、板バネ１６が配置されている。この板バネ１６は、一端がネジ１７により構造体１に連結され、自由端とされている他端が停止スイッチ９に対向している。板バネ１６は、当接体７が非停止位置に位置する場合には停止スイッチ９から離反する位置に位置している（図２参照）。当接体７が停止位置に向けて移動する場合に、当接体７に押された付勢体１５が手摺ベルト５の移動方向に沿って移動し、このときに当接部１５ａが板バネ１６に当接して板バネ１６を撓ませる（図４参照）。当接体７が停止位置まで移動した場合に、撓んだ板バネ１６により停止スイッチ９が押され、停止スイッチ９から検知信号が出力される。出力された検知信号は、制御装置１０に入力される。
【００２８】
このような構成において、エスカレータが正常に運転されている場合、及び、異物（例えば、エスカレータ利用者の荷物や、エスカレータ利用者の指先等）が手摺ベルト５と共にインレット６に向けて引き込まれるという事故が発生した場合における、手摺ベルト安全装置の動作について説明する。
【００２９】
図２は、インレット６に向けた異物の入り込みが発生しておらず、エスカレータが正常に運転されている状態である。当接体７とインレット外殻体８とは付勢体１５により付勢され、当接体７が非停止位置に位置し、係止部１１が係止位置に位置してインレット外殻体８が構造体１に係止されている。
【００３０】
この状態においては、インレット外殻体８に設けられている係止部１１が係止位置に位置している（係止凸部１１ｂが構造体１の凹部１３に係合されている）ため、荷物などがインレット外殻体８に衝突することによりインレット外殻体８に外部からの力が作用した場合でも、インレット外殻体８は構造体１の内方に向けて移動することはなく、位置固定に維持される。さらに、インレット外殻体８内に位置している当接体７は、荷物などがインレット外殻体８に衝突した場合でも非停止位置に維持され、停止位置に移動するということが防止される。このため、異物がインレット６内に向けて引き込まれていない場合に、インレット外殻体８や当接体７が構造体１の内方に向けて移動するということが発生せず、停止スイッチ９が押されて作動するということが防止される。これにより、手摺ベルト５と共に異物がインレット内に引き込まれていないにも係わらず、停止スイッチ９が作動してエスカレータが非常停止されるという誤動作の発生を防止することができる。
【００３１】
図４は、手摺ベルト５と当接体７との間に異物（エスカレータ利用者の手）が入り込み、その異物に押された当接体７が停止位置に移動した状態である。
【００３２】
当接体７が停止位置に向けて移動することにより、当接体７に押された付勢体１５が構造体１の内方に向けて移動する。付勢体１５が構造体１の内方に向けて移動することにより、当接部１５ａが板バネ１６に干渉し、板バネ１６が停止スイッチ９に接近する向きに撓む。
【００３３】
図４に示すように当接体７が停止位置に移動することにより、撓んだ板バネ１６により停止スイッチ９が押され、停止スイッチ９から検知信号が出力される。停止スイッチ９から出力された検知信号は制御装置１０に入力され、制御装置１０から駆動部に対して停止信号が出力される。停止信号が駆動部に出力されることにより、駆動部が停止され、手摺ベルト５と踏段２との移動が停止される。
【００３４】
当接体７が図２に示す非停止位置から図４に示す停止位置に移動する過程において、係止解除手段１４を構成するテーパ付凸部７ｄと解除受け部１１ｄとの係合状態が変化し、解除受け部１１ｄがテーパ付凸部７ｄのテーパ部７ｅに押され、係止部１１がインレット外殻体８の内径方向へ次第に撓む。
【００３５】
当接体７の端部であって手摺ベルト５との間に異物が入り込む側の弾性筒部７ｂは、ゴムなどの材料で形成されて弾性を有するため、弾性筒部７ｂと手摺ベルト５との間に異物が入り込んだ場合でも、異物に対して与える損傷を少なくすることができる。異物がエスカレータ利用者の手である場合には、大きな怪我をするということが防止される。
【００３６】
当接体７が図４に示す停止位置に移動した場合、係止部１１は係止解除位置に移動し、インレット外殻体８が構造体１との係止を解除されて構造体１の内方へ移動可能となる。このため、駆動部が停止された後に手摺ベルト５が慣性により移動し、この移動に伴って手摺ベルト５と共にインレット６に向けて引き込まれた異物がインレット外殻体８に当接すると、係止部１１が係止解除位置に位置していることによりインレット外殻体８が手摺ベルト５の移動方向に沿って容易に移動する。これにより、駆動部が停止された後に手摺ベルト５が慣性で移動し、異物がさらに構造体１内に引き込まれてインレット外殻体８に当接した場合でも、インレット外殻体８が構造体１内に入り込む方向に移動するため、異物とインレット外殻体８との間に過大な力が作用するということが防止される。したがって、エレベータ利用者の手が手摺ベルト５と共にインレット６に向けて引き込まれた場合であっても、エレベータ利用者の手がインレット外殻体８に強く当って大きな怪我をするということを防止することができる。
【００３７】
なお、係止解除位置に移動した係止部１１は、まず、図５に示すように、第２係止部１１ｃが凹部１３に係合される。第２係止部１１ｃが凹部１３に係合した状態のインレット外殻体８に対して、駆動部が停止された後も慣性で移動する手摺ベルト５の移動方向に沿った方向の力がインレット外殻体８に作用すると、係止部１１はさらに撓んで第２係止部１１ｃと凹部１３との係合が解除され、インレット外殻体８は構造体１の内方に向けて移動する。ここで、第２係止部１１ｃは、凹部１３の縁部に当接して係止部１１の撓みを促進する向きに傾斜したテーパ面を有する。このため、第２係止部１１ｃが凹部１３に係合された状態において、インレット外殻体８に対して手摺ベルト５の移動方向に沿った僅かな力が作用することにより、係止部１１はインレット外殻体８の内径方向に撓んで第２係止部１１ｃと凹部１３との係合が容易に解除され、インレット外殻体８が手摺ベルト５の移動方向に沿って構造体１内に入り込む。
【００３８】
また、係止部１１が係止解除位置に移動した場合、第２係止部１１ｃが凹部１３に一旦係合されるので、係止部１１が係止解除位置に移動して直ぐにインレット外殻体８が構造体１内に入り込むということが発生しない。これにより、係止部１１が係止解除位置に移動した直後に、手摺ベルト５との間に挟まれた異物がインレット外殻体８と共に構造体１の内部に急激に入り込むということを防止することができる。
【００３９】
図６は、停止スイッチ９が押されて手摺ベルト５と踏段２とを駆動させる駆動部が停止され、その停止後に手摺ベルト５が慣性により移動方向に移動した状態である。駆動部が停止された後に手摺ベルト５が慣性により移動すると、この移動により手摺ベルト５との間に異物が入り込んでいる当接体７が移動し、当接体７は停止位置よりも更に構造体１の内方へ移動する。
【００４０】
図７は、手摺ベルト５が停止した後、インレット６に向けて引き込まれた異物を取外す場合を示している。この場合には、インレット外殻体８を構造体１内へ押込み、当接体７の弾性筒部７ｂの端部をインレット外殻体８の外方へ露出させる。これにより、当接体７と手摺ベルト５との間に入り込んだ異物の取外しを容易に行うことができる。
【００４１】
当接体７と手摺ベルト５との間に入り込んだ異物を取外した後は、インレット外殻体８と当接体７とを構造体１の内方へ押し込んでいた力を解除する。これにより、インレット外殻体８と当接体７とは、付勢体１５に押されて図２に示す初期位置に自動的に復帰する。したがって、異物を取外した後のエスカレータの運転を速やかに再開させることができる。
【００４２】
（第２の実施の形態）
本発明の第２の実施の形態に係る乗客コンベアであるエスカレータについて、図８に基づいて説明する。なお、第２の実施の形態においては、第１の実施の形態において説明した構成要素と同じ構成要素については同じ符号を付け、重複する説明は省略する。
【００４３】
第２の実施の形態のエスカレータの基本的構成は、第１の実施の形態と同じである。第２の実施の形態と第１の実施の形態との異なる点は、第１の実施の形態の係止部１１に代えて係止部２１を設け、第１の実施の形態の係止解除手段１４に代えてアクチュエータであるソレノイド２２を設けた点である。ソレノイド２２は構造体１に取付けられている。
【００４４】
係止部２１はソレノイド２２のプランジャに取付けられ、ソレノイド２２が駆動することにより、インレット外殻体８を構造体１に係止させてインレット外殻体８の移動を制限する係止位置と、構造体１へのインレット外殻体８の係止を解除してインレット外殻体８の移動を許容する係止解除位置とに移動可能に設けられている。係止部２１が係止位置に位置する場合には、係止部２１の先端部がインレット外殻体８に形成された係止穴２３に係止される。
【００４５】
ソレノイド２２は、停止スイッチ９が作動する場合に出力される電気信号に基づいて作動し、係止部２１を係止位置から係止解除位置へ移動させる。このソレノイド２２は、停止スイッチ９が作動されない場合に通電されて係止部２１を係止穴２３に係止される係止位置に保持する保持力を付与し、停止スイッチ９が板バネ１６に押されて作動する場合に通電を遮断されて保持力を消滅させる保持機構部２２ａと、係止部２１を係止解除位置に移動する向きに付勢するバネ２２ｂとを有している。
【００４６】
したがって、停止スイッチ９が板バネ１６に押されて停止スイッチ９から制御装置１０に検知信号が出力されると、制御装置１０から駆動部に停止信号が出力されて駆動部が停止される。さらに、停止スイッチ９から制御装置１０に検知信号が出力された場合に、制御装置１０からソレノイド２２へ保持機構部２２ａへの通電を遮断する信号が出力される。保持機構部２２ａへの通電が遮断されると、保持機構部２２ａによる保持力が消滅した係止部２１は、バネ２２ｂの付勢力により移動して係止穴２３への係止が解除される係止解除位置に移動する。
【００４７】
また、このエスカレータには、係止部２１が係止穴２３に係止されてインレット外殻体８が構造体１に係止される係止位置に位置する場合に、係止部２１による構造体１への係止力より小さい係止力により構造体１とインレット外殻体８とを係止する第２係止部であるボールプランジャ２４が設けられている。ボールプランジャ２４は構造体１に取り付けられ、ボールプランジャ２４の先端のボール部が係止される凹部２５がインレット外殻体８の外周面に形成されている。
【００４８】
このような構成において、図８は、インレット６に向けた異物の入り込みが発生しておらず、手摺ベルト５が正常に運転されている状態である。この状態では、保持機構部２２ａに対する通電が行われ、係止部２１が係止穴２３に係止されて係止位置に位置し、インレット外殻体８が構造体１に係止されている。
【００４９】
この状態においては、荷物などがインレット外殻体８に衝突することによりインレット外殻体８に外部からの力が作用した場合でも、インレット外殻体８は構造体１の内方に向けて移動することなく位置固定に維持される。さらに、インレット外殻体８内に位置している当接体７は、荷物などがインレット外殻体８に衝突した場合でも非停止位置に維持され、停止位置に移動するということが防止される。このため、異物がインレット６内に向けて引き込まれていない場合に、インレット外殻体８や当接体７が構造体１の内方に向けて移動するということが発生せず、停止スイッチ９が押されて作動するということが防止される。これにより、手摺ベルト５と共に異物がインレット内に引き込まれていないにも係わらず、停止スイッチ９が作動してエスカレータが非常停止されるという誤動作の発生を防止することができる。
【００５０】
手摺ベルト５と当接体７との間に異物が入り込んだ場合には、その異物に押された当接体７が停止位置に移動する。当接体７が停止位置に移動することにより板バネ１６が撓み、撓んだ板バネ１６により停止スイッチ９が押され、停止スイッチ９から検知信号が出力される。停止スイッチ９から出力された検知信号は制御装置１０に入力され、制御装置１０から駆動部に対して停止信号が出力される。この停止信号が駆動部に出力されることにより駆動部が停止され、手摺ベルト５と踏段２との移動が停止される。
【００５１】
さらに、停止スイッチ９から出力された検知信号が制御装置１０に入力されることにより、制御装置１０から保持機構部２２ａに対して制御信号が出力され、保持機構部２２ａへの通電が遮断される。保持機構部２２ａへの通電が遮断されることにより、係止部２１がバネ２２ｂの付勢力により係止穴２３への係止を解除される係止解除位置に移動する。
【００５２】
駆動部が停止された場合において、手摺ベルト５は急停止せずに慣性により移動する。この移動に伴って手摺ベルト５と共にインレット６に向けて引き込まれた異物がインレット外殻体８に当接すると、係止部２１が係止解除位置に位置していることによりインレット外殻体８は手摺ベルト５の移動方向に沿って容易に移動する。このため、駆動部が停止された後に手摺ベルト５が慣性で移動し、異物がさらに構造体１内に引き込まれてインレット外殻体８に当接した場合でも、インレット外殻体８が構造体１内に入り込む方向に移動するため、異物とインレット外殻体８との間に過大な力が作用するということが防止される。したがって、エレベータ利用者の手が手摺ベルト５と共にインレット６に向けて引き込まれた場合において、エレベータ利用者の手がインレット外殻体８に強く当って大きな怪我をするということを防止することができる。
【００５３】
一方、係止部２１が係止解除位置に移動した場合に、ボールプランジャ２４によって構造体１とインレット外殻体８とが係合されている。このため、係止部２１が係止解除位置に移動して直ぐにインレット外殻体８が構造体１内に入り込むということが発生しない。これにより、係止部２１が係止解除位置に移動した直後に、手摺ベルト５との間に挟まれた異物がインレット外殻体８と共に構造体１の内部に急激に入り込むということを防止することができる。
【図面の簡単な説明】
【００５４】
【図１】本発明の第１の実施の形態に係るエレベータの概略を示す側面図である。
【図２】手摺ベルトのインレット部分を示す縦断側面図である。
【図３】インレット外殻体の係止部の構造を拡大して示す斜視図である。
【図４】当接体が停止位置に移動した場合における手摺ベルトのインレット部分を示す縦断側面図である。
【図５】係止解除手段の構造を拡大して示す縦断側面図である。
【図６】インレット外殻体が係止部による係止を解除されて構造体内に移動した場合における手摺ベルトのインレット部分を示す縦断側面図である。
【図７】入り込んだ異物を取外すためにインレット外殻体を構造体内に押し込んだ場合における手摺ベルトのインレット部分を示す縦断側面図である。
【図８】本発明の第２の実施の形態に係る手摺ベルトのインレット部分を示す縦断側面図である。
【符号の説明】
【００５５】
１      構造体
５      手摺ベルト
６      インレット
７      当接体
８      インレット外殻体
９      停止スイッチ
１１      係止部
１１ｃ    第２係止部
１４      係止解除手段
１５      付勢体
２１      係止部
２２      係止解除手段、アクチュエータ
２２ａ    保持機構部
２２ｂ    バネ
２４      第２係止部
【図１】
2007204194.tif 000003
【図２】
2007204194.tif 000004
【図３】
2007204194.tif 000005
【図４】
2007204194.tif 000006
【図５】
2007204194.tif 000007
【図６】
2007204194.tif 000008
【図７】
2007204194.tif 000009
【図８】
2007204194.tif 000010